(57)【要約】【課題】駆除対称の害虫による液体ベイト剤の喫食効率が高く、高い殺虫効果が得られる害虫駆除装置を提供することを目的とする。【解決手段】液体ベイト剤Ｌが収容され、天面部２０に開口部２２が形成されたボトル１０と、開口部２２からボトル１０内の下方に向かって設けられた柱状の吸液芯１２と、を備え、ボトル１０の天面部２０には、吸液芯１２の上端面１２ａの外縁から平面視で２０ｍｍ離れた地点と前記外縁とを結ぶ直線と、上端面１２ａの面方向とがなす角度θが３０°以下である足場２８が形成されている、害虫駆除装置１。【選択図】図２
2017158517.tif 000002
【特許請求の範囲】
【請求項１】
液体ベイト剤が収容され、天面部に開口部が形成されたボトルと、前記開口部から前記ボトル内の下方に向かって設けられた柱状の吸液芯と、を備える害虫駆除装置であって、
前記天面部には、前記吸液芯の上端面の外縁から平面視で２０ｍｍ離れた地点と前記外縁とを結ぶ直線と、前記上端面の面方向とがなす角度θが３０°以下である足場が形成されている、害虫駆除装置。
【請求項２】
前記ボトルの上方を覆うカバーをさらに備える、請求項１に記載の害虫駆除装置。
【発明の詳細な説明】
【技術分野】
【０００１】
本発明は、害虫駆除装置に関する。
【背景技術】
【０００２】
ゴキブリ等の害虫を駆除する方法としては、ピレスロイド系、有機リン系又はカーバメイト系等の殺虫有効成分を、直接害虫に対して噴霧する方法、又は所定の場所に噴霧しておく方法が知られている。しかし、該方法には、殺虫成分の噴霧量が多く、噴霧された殺虫成分を使用者が吸い込む懸念がある。
【０００３】
一方、殺虫成分を噴霧せずに害虫を駆除する方法として、殺虫有効成分を含むベイト剤を害虫に喫食させる方法が提案されている。ベイト剤としては、食餌成分と殺虫有効成分とを含む水溶液からなる液体ベイト剤が知られている。例えば、ボトル内に上端面が露出するように吸液芯が挿し込まれた害虫駆除装置を使用し、前記ボトル内に液体ベイト剤を収容する。これにより、吸液芯に吸い上げられた液体ベイト剤を該吸液芯の上端面から害虫が喫食することで、害虫が死に至る。
【０００４】
このような害虫駆除装置としては、上に向かうにつれて窄んだドーム状のボトル部と、該ボトル部の頂点部分で上端面が露出するように挿し込まれた吸液芯とを備える害虫駆除装置が提案されている（特許文献１）。
【先行技術文献】
【特許文献】
【０００５】
【特許文献１】特開２０１５−３３３７４号公報
【発明の概要】
【発明が解決しようとする課題】
【０００６】
しかし、特許文献１のような従来の害虫駆除装置では、駆除対称の害虫による液体ベイト剤の喫食効率が充分に高くなく、殺虫効果はいまだ充分とは言えない。
【０００７】
本発明は、駆除対称の害虫による液体ベイト剤の喫食効率が高く、高い殺虫効果が得られる害虫駆除装置を提供することを目的とする。
【課題を解決するための手段】
【０００８】
本発明者は、鋭意検討の結果、害虫が液体ベイト剤を喫食する際のボトルの足場の角度を特定の範囲に制御することにより、液体ベイト剤を喫食する際の害虫の体勢が良くなり、喫食効率が高くなることで殺虫効果が高まることを見出し、本発明を完成するに至った。
【０００９】
本発明の害虫駆除装置は、以下の構成を有する。
［１］液体ベイト剤が収容され、天面部に開口部が形成されたボトルと、前記開口部から前記ボトル内の下方に向かって設けられた柱状の吸液芯と、を備える害虫駆除装置であって、前記天面部には、前記吸液芯の上端面の外縁から平面視で２０ｍｍ離れた地点と前記外縁とを結ぶ直線と、前記上端面の面方向とがなす角度θが３０°以下である足場が形成されている、害虫駆除装置。
［２］前記ボトルの上方を覆うカバーをさらに備える、［１］に記載の害虫駆除装置。
【発明の効果】
【００１０】
本発明の害虫駆除装置を用いれば、駆除対称の害虫による液体ベイト剤の喫食効率が高く、高い殺虫効果が得られる。
【図面の簡単な説明】
【００１１】
【図１】本発明の害虫駆除装置の一例を示した斜視図である。
【図２】図１の害虫駆除装置のＡ−Ａ断面図である。
【図３】図２の害虫駆除装置におけるシール部材を剥がした状態を示した断面図である。
【図４】本発明の害虫駆除装置の他の例を示した正面図である。
【図５】図４の害虫駆除装置におけるカバーを取り外した状態の断面図である。
【図６】図５のボトルからシール部材を剥がした状態を示した断面図である。
【図７】図４の害虫駆除装置における足場の角度を説明する断面図である。
【図８】図４の害虫駆除装置における足場の角度を説明する断面図である。
【図９】本発明の害虫駆除装置の他の例を示した断面図である。
【図１０】本発明の害虫駆除装置の他の例を示した断面図である。
【図１１】本発明の害虫駆除装置の他の例を示した断面図である。
【図１２】本発明の害虫駆除装置の他の例を示した断面図である。
【発明を実施するための形態】
【００１２】
本発明の害虫駆除装置は、液体ベイト剤によるゴキブリ等の害虫の駆除に用いる容器であって、液体ベイト剤が収容され、天面部に開口部が形成されたボトルと、前記開口部から前記ボトル内の下方に向かって設けられた柱状の吸液芯と、を備える。
【００１３】
また、本発明の害虫駆除装置におけるボトルの天面部には、吸液芯の上端面の外縁から平面視で２０ｍｍ離れた地点と前記外縁とを結ぶ直線と、前記上端面の面方向とがなす角度θが３０°以下の足場が形成されている。これにより、該足場において吸液芯の上端面まで吸い上げられた液体ベイト剤を喫食する際にゴキブリ等の害虫の躯体が屈曲することを抑制できる。そのため、害虫による液体ベイト剤の喫食効率が高まることで、高い殺虫効果が得られる。本発明の害虫駆除装置は、ゴキブリに対して特に有効である。
なお、前記角度θは、前記直線と吸液芯の上端面の面方向とで形成される外角を意味するものとする。
【００１４】
以下、本発明の害虫駆除装置の一例を示してさらに説明する。
［第１実施形態］
本実施形態の害虫駆除装置１は、図１及び図２に示すように、液体ベイト剤Ｌが収容されたボトル１０と、円柱状の吸液芯１２と、カバー１４と、吸液芯１２の上端面１２ａを覆うシール部材１７と、を備える。
【００１５】
ボトル１０内に収容される液体ベイト剤Ｌとしては、特に限定されず、害虫の種類に応じて公知の液体ベイト剤を適宜使用することができる。液体ベイト剤としては、例えば、ネオニコチノイド系のジノテフラン、フェニルピラゾール系のフィプロニル、アミジノヒドラジゾン系のヒドラメチルノン、ホウ酸等の殺虫成分を含む水溶液が挙げられる。液体ベイト剤には、食餌成分、ゲル化剤、糖類、アルコール、界面活性剤、防腐剤、安定化剤、着色剤、着香剤、誤食防止剤等の任意成分が含まれていてもよい。
【００１６】
ボトル１０は、液体ベイト剤を収容するための容器である。ボトル１０は、円板状の底面部１６と、底面部１６の周縁から全周にわたって立ち上がる円筒状の側面部１８と、側面部１８の上端開口部を閉じるように側面部１８の上端に設けられた、円板状の天面部２０と、を備えている。このように、ボトル１０は円柱状になっている。天面部２０の中央部分には、平面視形状が円形状の開口部２２が形成されている。
【００１７】
ボトルの材質としては、液体ベイト剤の安定性に影響を与えない素材であればよく、例えば、ポリプロピレン、ポリエチレン等のオレフィンの他、ポリエチレンテレフタレート（ＰＥＴ）やガラス等が挙げられる。ボトルの材質は、１種のみであってもよく、２種以上であってもよい。
【００１８】
ボトル１０の天面部２０においては、開口部２２に円筒状の中栓２４が嵌め込まれることで、吸液芯１２を設置する吸液芯設置部２６が設けられている。中栓２４は、吸液芯１２をボトル１０内で保持するためのものである。吸液芯設置部２６では、吸液芯１２の上端面１２ａが天面部２０の上面と面一となるように、吸液芯１２が中栓２４に挿し込まれることで、ボトル１０の開口部２２から下方に向かって吸液芯１２が設けられている。なお、本発明の効果を損なわない範囲内であれば、開口部において吸液芯の上端面がボトルの天面部の上面と面一になっていなくてもよい。また、中栓の上端面も、ボトルの天面部の上面と面一になっていなくてもよい。
【００１９】
中栓の形状は、円筒状には限定されず、吸液芯の形状に合わせて適宜決定すればよい。
中栓の材質としては、成型可能なものであればよく、例えば、ポリエチレン、ポリエステル、ポリプロピレン等が挙げられる。中栓の材質は、１種のみであってもよく、２種以上であってもよい。
【００２０】
吸液芯１２は、毛細管現象でボトル１０内に収容されている液体ベイト剤Ｌを吸い上げて、害虫に薬液を喫食させる薬液保持体である。
吸液芯１２の長さは、ボトル１０の大きさに応じて適宜設定すればよく、ボトル１０の内底面に接する長さであることが好ましい。
吸液芯１２の軸方向に対して垂直な断面形状は、この例では円形状であるが、特に限定されず、四角形、五角形、六角形等の多角形状や、星形等であってもよい。
【００２１】
吸液芯としては、例えば、ガラス繊維、樹脂繊維（ナイロン、ポリエステル等）、天然繊維等の繊維の熱融着や接着剤による接着により形成されるもの、不織布や木材から形成されるもの、又は、無機及び／又は有機物質の粉末からなるマトリックスを樹脂バインダーと共に練りこんで、押し出し成型や圧縮成型などによって成型したもの等が挙げられる。なかでも、吸液芯としては、使いやすい点から、ポリエチレン、ポリプロピレン、ポリエステル等を用いた樹脂製であることが好ましい。
【００２２】
吸液芯１２上には、その上端面１２ａを覆うようにシール部材１７が設けられている。シール部材１７を剥がすことで、図３に示すように、吸液芯１２の上端面１２ａを開口部２２から露出させることができるようになっている。
シール部材としては、剥離可能に吸液芯の上端面に貼り付けることができ、その状態でボトル内に収容された液体ベイト剤の液体成分が蒸発することを抑制できるものであればよい。シール部材の材質としては、例えば、アルミニウム、ポリプロピレン、ポリエチレン、ＰＥＴ等が挙げられる。
【００２３】
害虫駆除装置１においては、ボトル１０の天面部２０全体が、吸液芯１２の上端面１２ａから液体ベイト剤Ｌを喫食する害虫のための足場２８となっている。このように、害虫駆除装置１においては、天面部２０における開口部２２の周囲全体に足場２８が設けられている。
この例の害虫駆除装置１では、平面視で、ボトル１０における開口部２２の縁から天面部２０の外縁までの距離が２０ｍｍ以上になっている。すなわち、足場２８は、平面視で、ボトル１０における開口部２２の縁から２０ｍｍ以上の距離まで広がって形成されている。
【００２４】
この例では、吸液芯１２の上端面１２ａが天面部２０の上面と面一となっているため、足場２８が吸液芯１２の上端面１２ａと面一になっている。そのため、この例では、足場２８における吸液芯１２の上端面１２ａの外縁ａから平面視で２０ｍｍ離れた地点ｂと外縁ａとを結ぶ直線ｍと、吸液芯１２の上端面１２ａの面方向とがなす角度θは０°である。本発明では、このように角度θが０°になっていること、すなわち吸液芯の上端面に対して足場が水平になっていることが特に好ましい。角度θが０°であれば、足場上で害虫が吸液芯から液体ベイト剤を喫食する際に害虫の躯体が屈曲しないため、喫食効率が特に高くなり、高い殺虫効果が得られる。
【００２５】
カバー１４は、害虫駆除装置１の使用時において、吸液芯１２の上端面１２ａから離間した状態で、吸液芯１２の上端面１２ａを隠す役割を果たす部材である。カバー１４がボトル１０における天面部２０の上に設置されることで、使用時に子供やペット等がボトル１０から露出した吸液芯１２に過って触れることを防止できる。
【００２６】
カバー１４は、円柱状のカバー本体３０と、カバー本体３０における下面の外縁部分から周方向に一定の間隔を空けて垂下された複数の支柱部３２と、複数の支柱部３２のそれぞれの下端部と接続された円環状のリング部３４と、を備えている。平面視において、リング部３４の直径はボトル１０の天面部２０の直径よりも小さくなっており、ボトル１０の天面部２０上にカバー１４が設置されている。害虫駆除装置１では、各支柱部３２の間からボトル１０とカバー１４の間に害虫が進入して吸液芯１２まで到達できるようになっている。
【００２７】
ゴキブリは自身の体にフィットする場所に好んで潜む習性があるため、ボトルとカバーの隙間の高さはゴキブリの進入性に影響する。そのため、駆除対称の害虫がゴキブリの場合、ゴキブリの進入性が良く液体ベイト剤の喫食効率がより高くなり、高い殺虫効果が得られやすい点から、ボトルとカバーの隙間の高さは、３〜１０ｍｍが好ましく、３〜７ｍｍがより好ましい。この例では、ボトル１０とカバー１４の隙間の高さ、すなわちカバー１４におけるカバー本体３０の下面とボトル１０における天面部２０の上面との距離を前記範囲内とすることが好ましい。
【００２８】
カバー本体３０の大きさは、特に限定されず、ボトル１０の大きさに応じて適宜設定できる。
支柱部３２の太さや断面形状及び数は、特に限定されず、カバー１４の強度を確保しつつ、害虫が進入しやすいように適宜設定すればよい。
【００２９】
カバーの材質としては、特に限定されず、例えば、ポリプロピレン、ポリエチレン、ＰＥＴ等の樹脂が挙げられる。カバーの材質は、１種のみであってもよく、２種以上であってもよい。
【００３０】
（製造方法）
害虫駆除装置１を製造する方法は、特に限定されず、公知の方法を適宜利用して製造することができる。例えば、以下の方法が挙げられる。中空成形で得たボトル１０内に液体ベイト剤Ｌを充填し、射出形成で得た中栓２４に吸液芯１２を差し込み、ボトル１０の開口部２２に取り付けて吸液芯設置部２６を形成する。次いで、吸液芯１２の上端面１２ａにシール部材１７を貼り付け、射出成形で得たカバー１４を取り付けることで、害虫駆除装置１を製造することができる。
【００３１】
以上説明したように、本実施形態の害虫駆除装置１では、角度θが３０°以下の足場２８が形成されている。そのため、足場２８上の害虫が吸液芯１２の液体ベイト剤Ｌを喫食する際に、該害虫の躯体が過度に屈曲することが抑制されるため、害虫による液体ベイト剤Ｌの喫食効率が高まり、高い殺虫効果が得られる。
【００３２】
［第２実施形態］
以下、本発明の害虫駆除装置の他の例を示して説明する。
本実施形態の害虫駆除装置２は、図４及び図５に示すように、液体ベイト剤Ｌが収容されたボトル４０と、円柱状の吸液芯４２と、カバー４４と、吸液芯４２の上端面４２ａを覆うシール部材４７と、を備える。
【００３３】
ボトル４０は、液体ベイト剤を収容するための容器である。ボトル４０は、円板状の底面部４６と、天面部５０と、を備えている。天面部５０は、底面部４６の周縁から全周にわたって立ち上がり、上に向かうにつれて円弧状に窄んだ筒状の肩部４８と、肩部４８の上端開口部を閉じるように肩部４８の上端に設けられた、円板状の平板部４９と、を備えている。このように、ボトル４０はドーム状になっている。天面部５０における平板部４９の中央部分には、平面視形状が円形状の開口部５２が形成されている。
【００３４】
ボトル４０の材質としては、液体ベイト剤の安定性に影響を与えない素材であればよく、例えば、第１実施形態で挙げたものと同じものが挙げられる。
【００３５】
また、ボトル４０の天面部５０には、開口部５２に円筒状の中栓５４が嵌め込まれることで、吸液芯４２を設置する吸液芯設置部５６が設けられている。中栓５４は、吸液芯４２をボトル４０内で保持するためのものである。吸液芯設置部５６においては、吸液芯４２の上端面４２ａが天面部５０における平板部４９の上面と面一となるように吸液芯４２が中栓５４に挿し込まれることで、開口部５２から下方に向かって吸液芯４２が設けられている。なお、本発明の効果を損なわない範囲内であれば、開口部において吸液芯の上端面がボトルの天面部の上面と面一になっていなくてもよい。また、中栓の上端面も、ボトルの天面部の上面と面一になっていなくてもよい。
【００３６】
中栓５４の材質としては、例えば、第１実施形態で挙げたものと同じものが挙げられる。また、吸液芯４２としては、第１実施形態で挙げたものと同じものが挙げられる。
吸液芯４２上には、その上端面４２ａを覆うようにシール部材４７が設けられている。シール部材４７を剥がすことで、図６に示すように、吸液芯４２の上端面４２ａを開口部５２から露出させることができるようになっている。シール部材４７としては、例えば、第１実施形態で挙げたものと同じものが挙げられる。
【００３７】
害虫駆除装置２においては、天面部５０における平板部４９と、肩部４８における天面部５０側の部分が、吸液芯４２の上端面４２ａから液体ベイト剤を喫食する害虫のための足場５８となっている。このように、害虫駆除装置２においては、ボトル４０の天面部５０における吸液芯設置部５６の周囲全体に足場５８が設けられている。
害虫駆除装置２においては、平面視で、ボトル４０における開口部５２の縁から平板部４９の外縁までの距離が２０ｍｍ以上になっていてもよく、２０ｍｍ未満になっていてもよい。
【００３８】
吸液芯４２の上端面４２ａが平板部４９の上面と面一となっているため、足場５８が吸液芯４２の上端面４２ａと面一になっている。そのため、ボトル４０における開口部５２の縁から平板部４９の外縁までの距離が２０ｍｍ以上の場合、図７に示すように、足場５８における吸液芯４２の上端面４２ａの外縁ａから平面視で２０ｍｍ離れた地点ｂと外縁ａとを結ぶ直線ｍと、吸液芯４２の上端面４２ａの面方向とがなす角度θは０°である。角度θが０°であることで、足場５８上の害虫が吸液芯４２から液体ベイト剤Ｌを喫食する際に害虫の躯体が屈曲しないため、喫食効率が特に高くなり、高い殺虫効果が得られる。
【００３９】
また、ボトル４０における開口部５２の縁から平板部４９の外縁までの距離が２０ｍｍ未満の場合、図８に示すように、足場５８における吸液芯４２の上端面４２ａの外縁ａから平面視で２０ｍｍ離れた地点ｂと外縁ａとを結ぶ直線ｍと、吸液芯４２の上端面４２ａの面方向とがなす角度θは３０°以下とされる。角度θが３０°以下であれば、足場５８上で害虫が液体ベイト剤Ｌを喫食する際に害虫の躯体が屈曲することが抑制される。そのため、喫食効率が高くなり、充分に高い殺虫効果が得られる。前記角度θは、殺虫効果がより高くなる点から、２０°以下が好ましく、１０°以下がより好ましい。
【００４０】
カバー４４は、害虫駆除装置２の使用時において、吸液芯４２の上端面４２ａから離間した状態で、吸液芯４２の上端面４２ａを隠す役割を果たす。カバー４４が設けられていることで、使用時に子供やペット等がボトル４０から露出した吸液芯４２に過って触れることを防止できる。
【００４１】
この例のカバー４４は、ボトル４０を覆うように、上に向かうにつれて窄む半球状に湾曲しており、かつその下端側部分に正面視形状が半円形の開口部４４ａが周方向に等角度間隔に３つ形成されている。害虫駆除装置２においては、カバー４４の開口部４４ａからボトル４０とカバー４４の間に害虫が進入して吸液芯４２まで辿り着けるようになっている。
【００４２】
カバー４４の大きさは、特に限定されず、ボトル４０の大きさに応じて適宜設定できる。カバーの材質としては、特に限定されず、例えば、第１実施形態で挙げたものと同じものが挙げられる。
ボトル４０とカバー４４の隙間の高さは、害虫による液体ベイト剤の喫食効率がより高く、高い殺虫効果が得られやすい点から、３〜１０ｍｍが好ましく、３〜７ｍｍがより好ましい。
【００４３】
（製造方法）
害虫駆除装置２を製造する方法は、特に限定されず、公知の方法を適宜利用して製造することができる。例えば、以下の方法が挙げられる。中空成形で得たボトル４０内に液体ベイト剤Ｌを充填し、射出成形で得た中栓５４に吸液芯４２を挿し込み、ボトル４０の開口部５２に取り付けて吸液芯設置部５６を形成する。次いで、吸液芯４２の上端面４２ａにシール部材４７を貼り付け、射出成形で得たカバー４４を取り付けることで、害虫駆除装置２を製造することができる。
【００４４】
以上説明したように、本実施形態の害虫駆除装置２では、角度θが３０°以下の足場５８が形成されている。これにより、害虫による液体ベイト剤Ｌの喫食効率が高まり、高い殺虫効果が得られる。
【００４５】
前述した特許文献１のような従来の害虫駆除装置では、吸液芯から液体ベイト剤を喫食する際の害虫の体勢を考慮して足場の角度が制御されていなかった。そのため、喫食の際の害虫の躯体が屈曲してしまうことで喫食効率が充分に高まらず、その結果、殺虫効果が上がりにくかった。これに対して、本発明の害虫駆除装置においては、角度θが３０°以下に制御された足場が形成されていることで、害虫がスムーズに液体ベイト剤を喫食できるため、高い殺虫効果が得られる。
【００４６】
なお、本発明の害虫駆除装置は、前記した害虫駆除装置１、２には限定されない。例えば、害虫駆除装置１、２では、ボトルの内底面は平面状であるが、ボトルの内底面が、吸液芯が位置する部分が最も低くなるように傾斜して窪んだ害虫駆除装置であってもよい。ボトルの内底面がこのような形状であれば、ボトル内に収容された液体ベイト剤が最後まで吸液芯に吸い上げられるため、液体ベイト剤を使い切ることが容易になる。
【００４７】
また、本発明の害虫駆除装置は、図９に示すように、害虫駆除装置２において、天面部５０の代わりに、開口部５２の縁から底面部４６の外縁まで緩やかな弧を描くように曲線的に傾斜した天面部５０Ａが設けられたボトル４０Ａを備える害虫駆除装置であってもよい。
【００４８】
ボトル４０Ａを備える害虫駆除装置においては、天面部５０Ａにおける吸液芯４２寄りの部分が足場５８となる。そして、足場５８における吸液芯４２の上端面４２ａの外縁ａから平面視で２０ｍｍ離れた地点ｂと外縁ａとを結ぶ直線ｍと、吸液芯４２の上端面４２ａの面方向とがなす角度θが３０°以下とされる。これにより、害虫による液体ベイト剤の喫食効率が高まり、高い殺虫効果が得られる。
【００４９】
また、本発明の害虫駆除装置は、角度θが３０°以下であれば、天面部が開口部の縁から底面部の外縁に向かって直線的に下がるように傾斜したボトルを備えるものであってもよい。
【００５０】
また、本発明の害虫駆除装置は、中栓を用いない吸液芯設置部が設けられたボトルを備えるものであってもよい。例えば、図１０に示すように、害虫駆除装置２において、吸液芯設置部５６の代わりに吸液芯設置部５６Ａが設けられた天面部５０Ｂを備えるボトル４０Ｂを備えた害虫駆除装置であってもよい。天面部５０Ｂは、肩部４８と、肩部４８の内縁から垂下された円筒状の第１筒部４８ａと、第１筒部４８ａの下端から内側に突出する円環状の突出部４８ｂと、突出部４８ｂの内縁から上方に立ち上がる円筒状の第２筒部４８ｃとを備えている。天面部５０Ｂにおける第２筒部４８ｃの上端には開口部５２Ａが形成されている。吸液芯設置部５６Ａは、第１筒部４８ａと突出部４８ｂと第２筒部４８ｃとで形成されている。吸液芯設置部５６Ａにおいては、第２筒部４８ｃの内側に吸液芯４２を挿し込むことで、開口部５２Ａから下方に向かって吸液芯４２が設置されるようになっている。
【００５１】
ボトル４０Ｂを備える害虫駆除装置においては、天面部５０Ｂにおける肩部４８における吸液芯４２寄りの部分が足場５８となる。そして、足場５８における吸液芯４２の上端面４２ａの外縁ａから平面視で２０ｍｍ離れた地点ｂと外縁ａとを結ぶ直線ｍと、吸液芯４２の上端面４２ａの面方向とがなす角度θが３０°以下とされる。これにより、害虫による液体ベイト剤の喫食効率が高まり、高い殺虫効果が得られる。
【００５２】
また、ボトルの吸液芯設置部に設置された吸液芯の上端面が水平方向に対して傾斜している場合、吸液芯の上端面よりも足場の方が高くなる部分があってもよい。具体的には、例えば、図１１に示すように、害虫駆除装置１において、天面部２０の代わりに水平方向に対して傾斜するように設けられた天面部２０Ａを有するボトル１０Ａを備え、吸液芯１２Ａの上端面１２ａが天面部２０Ａの傾斜角度に一致するように傾斜している害虫駆除装置であってもよい。該害虫駆除装置では、足場２８における吸液芯１２Ａの上端面１２ａの外縁ａから平面視で２０ｍｍ離れた地点ｂと外縁ａとを結ぶ直線ｍと、吸液芯１２Ａの上端面１２ａの面方向とがなす角度θが０°となる。そのため、害虫による液体ベイト剤Ｌの喫食効率が高まり、高い殺虫効果が得られる。
【００５３】
また、本発明の害虫駆除装置は、天面部の高さが外側に向かうにつれて高くなるように、天面部が吸液芯の上端面に対して傾斜しているボトルを備えるものであってもよい。具体的には、図１２に示すように、害虫駆除装置１において、天面部２０の代わりに天面部２０Ｂを有するボトル１０Ｂを備える害虫駆除装置であってもよい。天面部２０Ｂは、開口部２２の位置が最も低くなるように、開口部２２の周囲全体にわたって、外側に向かうにつれて高くなるように傾斜している。該害虫駆除装置では、足場２８における吸液芯１２の上端面１２ａの外縁ａから平面視で２０ｍｍ離れた地点ｂと外縁ａとを結ぶ直線ｍと、吸液芯１２Ａの上端面１２ａの面方向とがなす角度θが３０°以下とされる。これにより、害虫による液体ベイト剤Ｌの喫食効率が高まり、高い殺虫効果が得られる。
ただし、本発明では、害虫の進入性を方向に関係なく確保しやすい点から、害虫駆除装置１、２のように、水平方向に延びる平板状の天面部を備えるボトルか、天面部の高さが外側に向かうにつれて低くなるボトルを備える害虫駆除装置が好ましい。
【００５４】
本発明の害虫駆除装置においては、天面部における開口部の周囲全体に足場が形成されている態様には限定されず、天面部における開口部の周囲の一部に足場が形成された態様であってもよい。具体的には、例えば、害虫駆除装置１において、天面部２０の中央部分に開口部２２を形成する代わりに、天面部２０の外縁寄りに開口部が形成された害虫駆除装置であってもよい。
また、本発明の効果を損なわない範囲であれば、ボトルの外壁には突起が形成されていてもよい。
また、本発明の害虫駆除装置は、カバーを備えないものであってもよい。
【００５５】
なお、これまで説明した害虫駆除装置におけるボトル１０，１０Ａ，４０，４０Ａ，４０Ｂは、円板状の底面部１６，４６を備えるものであったが、本発明ではボトルの形状はこの形状には限定されない。例えば、本発明の害虫駆除装置のボトルは、平面視形状が四角形状や、五角形以上の多角形状の板状の底面部を備えるボトルであってもよい。
【実施例】
【００５６】
以下、実施例によって本発明を詳細に説明するが、本発明は以下の記載によっては限定されない。
［殺虫効果試験］
餌、水、潜伏場所を設置した床面積０．２ｍ２のコンテナにクロゴキブリを１０頭放って馴化させた後、ボトル内に液体ベイト剤を充填した害虫駆除装置を１つ設置した。２４時間後の致死率（ノックダウン含む）を計測し、以下の基準で殺虫効果を判定した。
＜判定方法＞
◎：致死率が６０％以上である。
○：致死率が５０％以上６０％未満である。
△：致死率が３０％以上５０％未満である。
×：致死率が３０％未満である。
【００５７】
［実施例１］
ジノテフラン（和光純薬工業株式会社製、「ジノテフラン標準品」）と水飴とを、ジノテフランの濃度が０．０５質量％、水飴の濃度が３０質量％となるように精製水に溶解して液体ベイト剤を調製し、図１〜３に例示した害虫駆除装置１のボトル１０内に該液体ベイト剤を充填して殺虫効果試験を行った。害虫駆除装置１における角度θは０°である。吸液芯１２としては、ポリエチレン繊維とポリプロピレン繊維が１：１で熱融着されて形成された樹脂製の吸液芯を使用した。
【００５８】
［実施例２］
実施例１と同様にして液体ベイト剤を調製し、図４〜６及び図８に例示した害虫駆除装置２のボトル４０内に該液体ベイト剤を充填して殺虫効果試験を行った。害虫駆除装置２における角度θ（図８）は３０°とした。
【００５９】
［比較例１］
実施例１と同様にして液体ベイト剤を調製し、害虫駆除装置２における角度θ（図８）を４５°にした以外は同じ態様の害虫駆除装置のボトル内に該液体ベイト剤を充填した。
【００６０】
各例の殺虫効果試験の結果を表１に示す。
【００６１】
【表１】
2017158517.tif 000003
【００６２】
表１に示すように、角度θが３０°以下の足場を有する害虫駆除装置を用いた実施例１、２では、角度θが３０°超である害虫駆除装置を用いた比較例１に比べて、ゴキブリの致死率が高く、殺虫効果が高かった。また、実施例２よりも角度θが小さい実施例１では、殺虫効果が特に高かった。
【符号の説明】
【００６３】
１、２  害虫駆除装置
１０、４０  ボトル
１２、４２  吸液芯
１２ａ、４２ａ  上端面
１４、４４  カバー
２０、５０、５０Ａ、５０Ｂ  天面部
２２、５２、５２Ａ  開口部
２６、５６  吸液芯設置部
２８、５８  足場
【図１】
2017158517.tif 000004
【図２】
2017158517.tif 000005
【図３】
2017158517.tif 000006
【図４】
2017158517.tif 000007
【図５】
2017158517.tif 000008
【図６】
2017158517.tif 000009
【図７】
2017158517.tif 000010
【図８】
2017158517.tif 000011
【図９】
2017158517.tif 000012
【図１０】
2017158517.tif 000013
【図１１】
2017158517.tif 000014
【図１２】
2017158517.tif 000015